(57)【特許請求の範囲】
【請求項１】
室内に配置する装飾具であって、
煙を発生する煙発生部材からの前記煙を下向きに吐き出すための煙吐出し部と、
内部に空気を取り入れるための空気の通し孔を有する透明な中空部材からなり、前記煙発生部材からの前記煙を下向きに流す煙案内部と、
を有し、下降する煙を中空部材からなる煙案内部の外部から見せることを特徴とする装飾具。
【請求項２】
前記煙吐出し部は、金属製の部材であり、前記煙吐出し部には、前記煙を前記煙案内部側に導く煙の案内孔が設けられていることを特徴とする請求項１記載の装飾具。
【請求項３】
前記煙案内部の下部には、少なくとも音源または光源のいずれか一方が設置されて、前記煙案内部の内部の前記煙に変化が与えられることを特徴とする請求項１または２記載の装飾具。
【請求項４】
線香と香炉とからなる線香煙沈留仏具であって、
前記線香は、筒型であって、内部に上部が塞がり下部が開口した孔が形成されており、
前記香炉は、
上部に形成された前記線香を載せる線香台と、複数枚が上下に間隔をおいて中間部に形成され、煙を上から下に向けて誘導する案内板と、基部に形成された煙を滞留させる滞留部と、前記線香台から前記中間部にかけて形成された前記線香の孔内に発生した煙を前記案内板まで誘導する案内孔とからなることを特徴とする線香煙沈留仏具。
【請求項５】
前記滞留部は、底と縁のある容器形であることを特徴とする請求項４記載の線香煙沈留仏具。
【請求項６】
前記中間部は、蓮の花の茎の形をしており、
前記案内板は、蓮の花の花弁の形をしていることを特徴とする請求項４または５記載の線香煙沈留仏具。
【発明の詳細な説明】
【技術分野】
【０００１】
本発明は、線香煙沈留仏具、線香、香炉および装飾具に関する。さらに詳しくは、仏教用具として線香の煙を流す線香煙沈留仏具、線香、香炉および装飾具に関する。
【背景技術】
【０００２】
従来からある線香は細長く、直径約１ｍｍ、長さ約１０ｃｍ位の伝統的な形状のものであり、このような伝統的形態から外れたものは存在しない。また、このような線香から発する煙はゆっくりと上に昇っていくものであり、それで当然と認識されている。
【０００３】
一方、従来の線香は火を付けて使用するので、火傷や火災の危険があることから、火を用いない疑似線香が提案されている（特許文献１、２）。
【０００４】
特許文献１の線香器は、細長い疑似線香の先に極小ランプを取付けて発光させ、あたかも本物の線香であるかのように見せるものである。特許文献２の線香器は、線香状の細管から水蒸気を発生させるよう気化器を保湿体に含ませた香料液体を加熱するようにしたものである。これも本物の線香のように見える仕掛けに特徴がある。
【０００５】
しかるに、伝統的な線香も、人工的な疑似線香器も煙を上向きに立ちのぼらせる点では共通しており、この点で従来からの線香の概念を超えるものではない。
【先行技術文献】
【特許文献】
【０００６】
【特許文献１】特開２００２−３０６３１５号公報
【特許文献２】特開２０１１−２４００４２号公報
【発明の概要】
【発明が解決しようとする課題】
【０００７】
本発明は上記事情に鑑み、従来概念に全くとらわれないで、線香の煙を下向きに流すことによって新たな宗教的霊感を醸し出すことができる線香煙沈留仏具、線香、香炉、および煙を下向きに流し、かつそれを透視することによって新たな雰囲気を醸し出すことができる装飾具を提供することを目的とする。
【課題を解決するための手段】
【０００８】
第１発明の装飾具は、室内に配置する装飾具であって、煙を発生する煙発生部材からの前記煙を下向きに吐き出すための煙吐出し部と、内部に空気を取り入れるための空気の通し孔を有する透明な中空部材からなり、前記煙発生部材からの前記煙を下向きに流す煙案内部とを有し、下降する煙を中空部材からなる煙案内部の外部から見せることを特徴とする。
【００１０】
第２発明の装飾具では、第１発明において、前記煙吐出し部は、金属製の部材であり、前記煙吐出し部には、前記煙を前記煙案内部側に導く煙の案内孔が設けられていることを特徴とする。
【００１２】
第３発明の装飾具では、第１または第２発明において、前記煙案内部の下部には、少なくとも音源または光源のいずれか一方が設置されて、前記煙案内部の内部の前記煙に変化が与えられることを特徴とする。
【００１７】
第４発明の線香煙沈留仏具は、線香と香炉とからなる線香煙沈留仏具であって、前記線香は、筒型であって、内部に上部が塞がり下部が開口した孔が形成されており、前記香炉は、上部に形成された前記線香を載せる線香台と、複数枚が上下に間隔をおいて中間部に形成され、煙を上から下に向けて誘導する案内板と、基部に形成された煙を滞留させる滞留部と、前記線香台から前記中間部にかけて形成された前記線香の孔内に発生した煙を前記案内板まで誘導する案内孔とからなることを特徴とする。
【００１８】
第５発明の線香煙沈留仏具は、第４発明において、前記滞留部は、底と縁のある容器形であることを特徴とする。
【００１９】
第６発明の線香煙沈留仏具は、第４または第５発明において、前記中間部は、蓮の花の茎の形をしており、前記案内板は、蓮の花の花弁の形をしていることを特徴とする。
【発明の効果】
【００２５】
第１発明によれば、煙を発生する煙発生部材からの前記煙を、煙吐出し部が下向きに吐き出して、内部に空気を取り入れるための空気の通し孔を有する透明な中空部材からなる煙案内部が煙案内部材からの煙を下向きに流すので、煙を下向きに流し、かつそれを煙案内部の外部から透視することによって新たな雰囲気を醸し出す、例えば新たな宗教的霊感を醸し出すことができる。また、煙案内部に外部の空気を導入する通し孔を有するので、煙の一部は、空気の通し孔を通じて外側に導くことができ、使用者は、煙の香りを楽しむことができる。
【００２７】
第２発明によれば、煙吐出し部は金属製の部材であり、煙が煙吐出し部の煙の案内孔を通ることで冷やされて重くなるので、煙は煙案内部内へ下向きに導くことができる。
【００２９】
第３発明によれば、煙案内部の下部には、少なくとも音源または光源のいずれか一方が設置されているので、煙が音による空気振動を受けて変形することがあり、さらにその形状変化を、光を当てて良く観察できるようになるので、幻想的な雰囲気を醸し出すことができる。
【００３３】
第４発明によれば、
線香台に載せた線香に点火して内部の孔の周辺まで燃えはじめると、孔内に煙が充満し、その圧力が上昇すると、香炉の案内孔から煙が下向きに吹き出てくる。案内孔から出た煙は案内板に触れることによって冷却され比重が重くなって沈降する。沈降する煙は複数の案内板を伝って、煙が上から下へ段階的に降りて、最後には滞留部に留められ、煙が通常とは反対に下向きに流れ落ちる現象を生むので、観る者に霊感を感じさせることができる
【００３４】
第５発明によれば、案内板を伝って降りてきた煙が底と縁のある容器内に滞留すると多量の煙が留まるので、煙で幻想的な雰囲気を醸し出すことができる。
【００３５】
第６発明によれば、香炉全体が蓮の花のように見えるので、煙が蓮の葉の上を流れている様子は仏教的霊感を感じさせ、宗教用具としての価値を高めることができる。
【図面の簡単な説明】
【００４１】
【図１】本発明における線香の一例を示し、（Ａ）図は正面図、（Ｂ）図は（Ａ）図のＢ−Ｂ矢視断面図である。
【図２】本発明の第１実施形態に係る線香煙沈留仏具の斜視図である。
【図３】線香台まわりの一部断面正面図である。
【図４】線香の煙が案内板を伝って下向きに流れている状態の説明図である。
【図５】香炉の滞留部で降りてきた煙が滞留している状態の説明図である。
【図６】本発明の第２実施形態における線香の一例を示し、（Ａ）図は正面図、（Ｂ）図は（Ａ）図の縦断面図である。
【図７】本発明の第２実施形態に係る線香煙透視仏具の斜視図である。
【図８】線香の煙が透視部内を下向きに流れている状態の説明図である。
【図９】本発明の第３実施形態に係る線香煙透視仏具の斜視図である。
【図１０】線香の煙が透視部内で流れ落ちる形状の説明図である。
【図１１】本発明の第４実施形態としての装飾具を示す斜視図である。
【図１２】図１１に示す装飾具を示す正面図である。
【図１３】図１２に示す装飾具の構造例を示す縦方向の断面図である。
【図１４】本発明の第５実施形態としての装飾具を示す縦方向の断面図である。
【図１５】線香の上端部が塞がっている形状例を示す図である。
【発明を実施するための形態】
【００４２】
つぎに、本発明の実施形態を図面に基づき説明する。
【００４３】
（第１実施形態）
本実施形態の線香煙沈留仏具Ａは、線香１と香炉１０とからなる。
【００４４】
図１に示すように、線香１は、筒型の本体２を有し、その内部には上部が塞がり下部が開口した孔３が形成されている。線香１の素材は通常の線香と同様に種々の香料の粉末が松やになどで固めたものである。
【００４５】
図示の線香１の本体２は筒型であり、この形状には円筒形や角柱形などが含まれる。また、上端がすぼまるコーン形であってもよい。図示の実施形態はコーン形である。
【００４６】
図２に示す香炉１０は、線香１を載せる台であり、煙が下方へ誘導する案内器具でもある。
【００４７】
具体的には、上部に形成された線香台１１と、中間部１２に形成された煙を上から下に向けて誘導する案内板１３と、基部に形成された煙を滞留させる滞留部１４とを有している。
【００４８】
香炉の形状は任意であり、種々の形状を選択しうるが、蓮を形取ったものであると仏具としての趣があって好ましい。
【００４９】
中間部１２は、蓮の花の茎の形をしており、案内板１３は、蓮の花の花弁の形をしている。そうすると、香炉１０全体が蓮の花のように見えるので、煙が蓮の葉の上を流れている様子は仏教的霊感を醸し出すことができ、宗教用具としての価値を高めることができる。
【００５０】
前記案内板１３は、複数枚が上下に間隔をおいて中間部１２に形成されている。本実施形態では、３枚の案内板１３ａ、１３ｂ、１３ｃが設けられている。この案内板１３の枚数は任意であって、２枚以下でもよく、４枚以上でもよい。
【００５１】
前記滞留部１４は、底と縁のある容器形であり、図示の実施形態は丸い深皿状の部材である。
【００５２】
図３に示すように、線香台１１は線香１を安定した状態で静置できるように平坦な台座に形成されている。この線香台１１と中間部１２の上方部分（線香台１１の直下部）との間には案内孔１５が形成されている。この案内孔１５は、前記線香１の孔内に発生した煙を案内板１３まで誘導するものである。
【００５３】
つぎに、本発明の線香煙沈留仏具Ａの使用法を説明する。
【００５４】
線香台１１に載せた線香１の塞がった円錐形の頂点に点火して内部の孔３の周辺まで燃えはじめると、孔３内に煙が充満し、その圧力が上昇すると、香炉の案内孔１５から煙が下向きに吹き出てくる。図４は、線香１の上端部が燃えており、煙が案内孔１５から出て下向きに流れている状態を示している。
【００５５】
このように、線香台１１に載せた線香１の円錐形の頂点に点火する。線香１に点火して内部の孔３の周辺まで燃えはじめると、例えば１３分かけて底の方まで燃える。線香１は円錐形であるので、下の方にいくと燃焼部分が大きくなる。線香１の孔３内に出た煙が孔３内に貯まって充満し、その煙の比重が増えるとともに圧力が上昇する。線香１の内部の孔３の上部は塞がれているので、さらに煙の比重が大きくなり圧力が上昇して、香炉の案内孔１５から煙が下向きに吹き出て、案内孔１５から出た煙は、例えば陶器製の案内板１３（案内板１３ａ、１３ｂ、１３ｃ）に触れることによって冷却されて、さらに比重が重くなって、拡散しにくくなり沈降する。沈降する煙は３枚の案内板１３に沿って下向きに流れていき、最後には滞留部１４に留められる。
【００５６】
図５は線香１が燃えすすみ、煙が滞留部１４にも滞留した状態を示している。このような煙の様子は、煙が通常とは反対に下向きに流れ落ちる現象であるので、宗教的霊感を感じさせることができる。しかも複数の蓮の葉様の案内板１３を伝って、煙が上から下へ段階的に降りてくると、それを観る者に霊感を感じさせることができる。
【００５７】
さらに、案内板１３を伝って降りてきた煙が底と縁のある滞留部１４内に滞留すると多量の煙が留まるので、煙で幻想的な雰囲気を醸し出すこともできる。
【００５８】
（第２実施形態）
本発明は線香煙透視仏具ＡＢの発明と、それを構成する線香１Ａの発明と香炉１０Ａの発明を含んでいる。
【００５９】
第２実施形態の線香煙透視仏具ＡＢは、線香１Ａと香炉１０Ａとからなる。
【００６０】
（線香）
図６に示すように、線香Ａ１は、筒形の本体２Ａを有し、その内部には貫通孔３Ａが形成されていることが特徴である。線香１の長さや直径は任意であり、図示の線香１は細い丸棒状であるが、もっと太いものでもよく、さらに角柱状等であってもよい。つまり、筒形に含まれる形状と大きさは図示のものに限られない。
【００６１】
線香１Ａの素材は通常の線香と同様に種々の香料の粉末を松やになどで固めたものである。その製法や素材等にはとくに制限はない。
【００６２】
（香炉）
図７および図８に示す香炉１０Ａは、線香１Ａを載せる台であり、下方に降りる煙を透視する器具でもある。香炉１０Ａの必須の部材は線香台１１Ａと透視部２０である。
【００６３】
線香台１１Ａは、線香１Ａを倒れないように保持できる機能を有するものであれば、それで足りる。
【００６４】
図示の線香台１１Ａは、線香１Ａを立てる孔１２Ａを有する台１３Ｒを備えており、さらに透視部２０へ煙を通す案内孔１４Ａを有している。
【００６５】
透視部２０は、透明素材を用いて形成された筒体２１で構成されている。透明素材の代表例にはガラスを例示できるが、アクリル樹脂その他のものも使用できる。透視部２０は、その内部を移動する煙を外部から視認することができればよく、その形状はとくに制限されない。したがって、透視部２０の形状は円筒状の外に断面四角や断面六角などの筒体であってもよい。透視部２０と線香台１１Ａとの間には、平板２２が存するが、これは透視部２０の上面に台１３Ｒを置くためである。台１３Ｒを透視部２０の上面に固定することができれば、平板２２はなくてもよい。
【００６６】
筒体２１の下には脚２３が取付けられているが、これは煙を外部に流していくための隙間を形成している。脚２３を設けなくても煙を外に排出できるなら、脚２３はなくてもよい。
【００６７】
脚２３をのせる台２４は必須ではなく必要に応じ設ければよい。収容箱２５も必要ではなく必要に応じて設ければよい。
【００６８】
つぎに、本発明の線香煙透視仏具ＡＢの使用法を説明する。
【００６９】
図８に示すように、線香台１１Ａに載せた線香１Ａの上端部に点火して燃えはじめると、線香１Ａの上端部から燃えていく。線香１Ａの上端部が燃えると、線香１Ａの内部の貫通孔３Ａの上部は塞がれ、貫通孔３内に出た煙が内部の貫通孔３Ａに貯まって充満して、煙の比重が増すとともに圧縮されるので、下向きに流れていく。煙Ｓは、貫通孔３Ａ内の圧力によって、香炉１０Ａの案内孔１４Ａから煙Ｓが下向きに吹き出てくる。この際に、例えば台１３Ｒと平板２２を金属製にすることにより、煙は、好ましくはさらに冷却されて下降流にすることができる。
【００７０】
しかし、台１３Ｒと平板２２の材質は、金属製に限らず、陶器製等であっても良く、特に限定されない。
【００７１】
案内孔１４Ａから出た煙Ｓは透視部２０の内壁や空気に触れることによって冷却され比重が重くなって沈降する。沈降する煙Ｓは透視部２０の内部をさらに下向きに流れていき、最後には脚２３と脚２３との間の隙間から外へ出ていく。このような煙Ｓの様子は、煙が通常とは反対に下向きに流れ落ちる現象であるので、宗教的霊感を感じさせることができる。しかも透視部２０の内部を漂いながら、煙Ｓが上から下へ流れ降りてくると、それを観る者に霊感を感じさせることができる。
【００７２】
（第３実施形態）
第３実施形態の線香煙透視仏具Ｂを図９および図１０に基づき説明する。
【００７３】
第３実施形態においては、香炉１０Ａは第１実施形態の香炉１０Ａに音源３１と光源３２を付加したものが用いられる。線香１Ａは第１実施形態のものと同様でよい。
【００７４】
図９に示す香炉１０Ａは台２４の下面に収容箱２５が設けられており、収容箱２５の内部には音源３１と光源３２が設置されている。収容箱２５は、音源および／または光源を設置することができれば、その形状や大きさは任意であり、特別の制限はない。
【００７５】
音源３１としては、小型のスピーカーなどが好適であり、光源３２としてはＬＥＤ発光素子などが小形で好ましい。
【００７６】
また、図示してないが、音源３１や光源３２を駆動制御する制御部も用いられる。制御部にとくに制約はなく、任意のパターンで音を出したり、任意のパターンで光を発することができるものであればよい。
【００７７】
図１０に示すように、音源３１が音を発すると空気振動が発生するので、透視部２０内を降下してくる煙Ｓに圧力を加え煙の煙の形を種々に変えることができる。音圧や音間隔によるが、連続流れの煙Ｓが断続的な形になったり、一つ一つの煙の形や楕円形になったり、ハート形になったりする。
【００７８】
こうした煙Ｓの形状変化を光源３１を使って光を投射すると、観る者に煙Ｓの挙動を良く観察させることができる。また、光の色を変化させたり、光の強度や発光の投射停止を繰り返えすことで、さらに変化に富んだ煙Ｓの動きを見せることができる。
【００７９】
このため、より一層宗教的霊感を与えることができる。
【００８０】
（第４実施形態）
図１１から図１３は、本発明の第４実施形態を示している。
【００８１】
図１１は、本発明の第４実施形態としての装飾具５０を示す斜視図である。図１２は、図１１に示す装飾具５０を示す正面図である。図１３は、図１２に示す装飾具５０の構造例を示す縦方向の断面図である。
【００８２】
図１１と図１２に示す装飾具５０は、線香煙透視仏具として用いるだけでなく、室内においてインテリアの一部分として楽しむための装飾品として用いることができる。
【００８３】
装飾具５０は、香炉５１と、線香５２とからなる。香炉５１を説明する前に線香５２について説明する。
【００８４】
（線香５２）
図１１と図１２に示すように、線香５２は、上述した線香と同様な構造を有しており、線香５２は、筒形の本体５２Ａを有する。この本体５２Ａの内部には、貫通孔５３が形成されている。線香５２の長さや直径は任意に設定することができ、図示する線香５２の形状は細い丸棒状の部材であるが、例えばもっと太い部材でもよく、さらに角柱状等の形状を有する部材であってもよい。
【００８５】
線香５２の素材は、通常の線香と同様に種々の香料の粉末を松やに等で固めたものであるが、その製法や素材の材質等には特に限定されない。
【００８６】
（香炉５１）
図１１と図１２に示す香炉５１は、上述した線香５２を着脱可能に取り換えて取り付けて載せることができ、この香炉５１は、下方に降りる煙Ｓを透視するための線香煙透視可能な器具である。
【００８７】
この香炉５１は、煙吐出し部としての線香台６０と、煙案内部としての透視部７０を備える。線香台６０は、透視台７０の上部に配置されている。
【００８８】
煙吐出し部としての線香台６０は、上部搭載部６１と、線香取付部材６２を有している。線香取付部材６２は、上部搭載部６１の上に固定されている。上部搭載部６１と線香取付部材６２は、線香５２から発生する煙から熱を奪ってこの煙がＺ方向に沿って下向きに流れることができるように、好ましくは金属、例えば真ちゅう等により形成されている。
【００８９】
図１２と図１３に示すように、上部搭載部６１は、好ましくは円盤状の部材である。線香取付部材６２は、上部搭載部６１の上面６１Ａの中心位置に固定されている。線香取付部材６２は、例えば平坦な上面６２Ａと下面６２Ｂと、曲面状の周囲面６２Ｃを有する。しかも、線香取付部材６２の中心位置には、線香５２を通して立てるための取付用孔６２Ｄが設けられている。
【００９０】
この取付用孔６２Ｄの内径は、好ましくは線香５２の外径よりもやや大きい程度の大きさであり、線香５２の下端部が、この取付用孔６２Ｄに差し込まれた時に、線香５２が折れないように、適切な隙間を有している。
【００９１】
図１２と図１３に示すように、上部搭載部６１の中心位置には、煙の案内孔６４が、形成されている。この煙の案内孔６４は、上部搭載部６１の上面６１Ａから下面６１Ｂにかけて貫通するように形成されている、例えば断面円形の孔である。線香５２を、線香取付部材６２の取付用孔６２Ｄに取り付けて立てた状態では、この煙の案内孔６４は、線香５２の貫通孔５３に通じている。
【００９２】
これにより、線香５２から発生する煙Ｓは、線香５２の貫通孔５３から煙の案内孔６４側に導かれるようになっている。
【００９３】
次に、図１１から図１３を参照して、煙案内部としての透視部７０について説明する。
【００９４】
図１１と図１２に示す透視部７０は、煙ＳをＺ方向に沿って下方に向けて案内して、使用者に煙Ｓの動きを見せるための煙案内部としての役割を有する。使用者は、透視部７０の内部７４を通る煙Ｓが目視できるようにするために、好ましくは透明な素材により作られている円筒状の部材である。
【００９５】
この透視部７０の素材としては、例えばガラスを用いることができるが、ガラスに限らず、透明な樹脂、例えばアクリル樹脂等を用いることができる。透視部７０としては、内部を移動する煙Ｓをこの透視部７０の外部から視認できれば良く、透視部７０の形状は、円筒状に限らずに、他の形状、例えば断面四角形や、断面六角形等の筒体であっても良い。
【００９６】
図１２と図１３に示すように、透視部７０は、例えば複数個の空気の通し孔７５，７６が設けられている。複数個の空気の通し孔７５は、透視部７０の周方向に沿って、上部搭載部６１寄りの位置に、間隔をおいて形成されている。別の複数個の空気の通し孔７６は、透視部７０の周方向に沿って、下部搭載部８１寄りの位置に、間隔をおいて形成されている。複数個の空気の通し孔７５，７６は、透視部７０の外部から透視部７０の内部に空気（酸素）を取り入れるための貫通孔である。
【００９７】
これにより、図１３に例示するように、透視部７０の内部７４内をＺ方向に下がってくる煙Ｓが、複数個の空気の通し孔７５，７６を通じて導入される外部の空気の流れによって影響を受けるので、煙Ｓの透視部７０内の流れと、煙Ｓの形状の変化を楽しむことができる。しかも、複数個の空気の通し孔７５，７６を通じて導入される外部の空気の流れによって、煙Ｓの量の調整と、線香５２の燃焼に必要な空気（酸素）の取入れが行え、線香５２が消えてしまうのを防止できる。
【００９８】
また、この複数個の空気の通し孔７５，７６に代えて、あるいは複数個の空気の通し孔７５，７６に加えて、上部搭載部６１と透視部７０、もしくは線香取付部材６２と上部搭載部６１の間に、空気が通る隙間を造ることもできる。これにより、空気が隙間を通じて透視部７０内に入るので、煙Ｓの透視部７０内の流れと、煙Ｓの形状の変化を楽しむことが可能である。しかも、導入される外部の空気の流れによって、煙Ｓの量の調整と、線香５２の燃焼に必要な空気（酸素）の取入れが行え、線香５２が消えてしまうのを防止できる。
【００９９】
図１１と図１２に示すように、透視部７０の下部開口部７２は、下部搭載部８１により塞がれ、透視部７０と下部搭載部８１は外部から塞がれている。しかし、この場合に、空気の通し孔７５，７６を設けない場合には、透視部７０と下部搭載部８１の間に、空気を取り入れるための隙間を設けるようにしても良い。これにより、煙Ｓの量の調整と、線香５２の燃焼に必要な空気（酸素）を透視部７０内に取り入れて、線香５２が消えてしまうのを防止できる。
【０１００】
上述した構成することで、使用者は、透視部７０内に流れる煙Ｓの様子を見て、新たな雰囲気を感じることができる。
【０１０１】
下部搭載部８１は、透視部７０の下部開口部７２を、好ましくは着脱可能に受けるための部分である。下部搭載部８１は、好ましくは真ちゅうなどの金属により作られているが、特に限定されない。下部搭載部８１は、図１１に示すように、縁部分８２と、受け部分８３と、下部分８４を有している。
【０１０２】
図１１に示すように、縁部分８２は、例えば八角形に形成されており、受け部分８３は、この縁部分８２の内側に窪みとして形成されている。この受け部分８３は、透視部７０の下部開口部７２を、好ましくは着脱可能に受けて支持している。このように、透視部７０の下部開口部７２が、受け部分８３内に着脱可能にはめ込める構造を有するので、例えば透視部７０の内側面を掃除する際に、透視部７０を取り外して容易に掃除することができる。しかし、透視部７０の下部開口部７２は、受け部分８３内に固定される構造を採用しても良い。
【０１０３】
しかも、図１２と図１３に示すように、受け部分８３は、円筒状の挿入部分８５を有している。この挿入部分８５は、透視部７０の下部開口部７２の内周面側に着脱可能にはめ込まれるようになっている。挿入部分８５は断面円形状の中空部分８６を有する。
【０１０４】
図１３に示すように、下部分８４は、筒状部分８４Ａと、円盤部分８４Ｂを有している。筒状部分８４Ａは断面円形状の中空部分８７を有する。この中空部分８７は、挿入部分８５の中空部分８６につながっている。
【０１０５】
図１３に示すように、収容箱９０が、下部分８４の下部に配置されている。この収容箱９０は、例えば円筒状の容器であり、円形の底部９１と周囲部分９２を有する。収容箱９０の上部には、円盤部分８４Ｂが着脱可能に取り付けられている。
【０１０６】
図１３に示す収容箱９０と、下部搭載部８１とは、脱着式で取り付けられている。これにより、収容箱９０は、電気部品を収容する台座なので、必要に応じて交換できる。しかも、下部搭載部８１には、線香５２が燃えた際に生じるヤニが付着することがある。この際には、下部搭載部８１は、ヤニを取り除くために収容箱９０から取り外して、容易に清掃することができる。
【０１０７】
あるいは、別に実施形態としては、台である下部搭載部８１の底板を無くしてあるので、煙が直接収容箱９０内に入ってしまうことから、これを避けるために、収容箱９０の上部は、透明なガラス等で覆うようにしても良い。これにより、収容箱９０と下部搭載部８１とを外せば、下部搭載部８１に着いたヤニと、収容箱９０の上部のガラス板に着いたヤニを、容易にふき取ることができる。
【０１０８】
図１３に示すように、収容箱９０の底部９１の内面には、１つまたは複数の光源９５が配置されている。この光源９５としては、例えばＬＥＤ（発光ダイオード）を採用できるが、他の種類の発光体であっても良い。光源８５が発生する光の色は、任意に選択することができる。
【０１０９】
光源９５は、制御部１００に接続されており、使用者が電源スイッチ１０２を押すことで、制御部１００は、バッテリ１０１からの電源供給を受けて、任意の発光色で、連続点灯もしくは点滅させることができる。これらの制御部１００、バッテリ１０１、電源スイッチ１０２は、収容箱９０内に収納されている。
【０１１０】
光源９５は、発生する光Ｌを、中空部分８７と中空部分８６を通過して、透視部７０の内部７４内をＺ方向に下がってくる煙Ｓに対して照射することができる。
【０１１１】
次に、上述した装飾具５０の使用例を説明する。
【０１１２】
装飾具５０は、線香煙透視仏具のような仏具として使用できるのは勿論のこと、室内に置くことでインテリアを飾る装飾品としても使用することができる外観デザイン上の美観を有している。
【０１１３】
図１３に示すように、使用者は、線香５２の下端部を、線香取付部材６２の取付用孔６２Ｄに挿入することで取り付けて、取り付けた線香５２の上端部５２Ｐに点火する。点火して線香５２の上端部５２が燃え始めると、上端部５２の貫通孔５３が塞がり、線香５２は、例えば線香５２の底の方まで燃えていく。
【０１１４】
線香５２の貫通孔５３の上部は塞がり、線香５２の上端部５２Ｐが燃え始めて貫通孔５３内に出た煙Ｓは、線香５２の貫通孔５３に充満することで、煙Ｓの比重が増すとともに圧縮されて、Ｚ方向に沿って下向きに流れていく。これにより、煙Ｓは、貫通孔５３から上部搭載部６１の煙の案内孔６４から透視部７０の内部７４内に吹き出てくる。
【０１１５】
この上部搭載部６１が、好ましくは例えば真ちゅうのような金属製であると、煙Ｓは、上部搭載部６１の煙の案内孔６４の内面に触れるとともに、好ましくは透視部７０の内壁面に触れることによって冷却される。これにより、煙Ｓは、さらに比重が重くなって沈降する。すなわち、この上部搭載部６１の煙の案内孔６４は、煙Ｓを発生する煙発生部材としての線香５２からの煙Ｓを、Ｚ方向に沿って下向きに、透視部７０の内部７４に確実に吐出すことができる。
【０１１６】
しかし、上部搭載部６１の材質は、金属製に限らず、陶器製等であっても良く、特に限定されない。
【０１１７】
なお、線香５２の上端部５２Ｐは塞がっているので、発生した煙Ｓは、線香５２の貫通孔５３内と上部搭載部６１の煙の案内孔６４内とで圧縮でき、煙Ｓが線香５２の上端部から抜け出るのを防ぐことができる。
【０１１８】
図１３に例示するように、吐出されて沈降する煙Ｓは、透視部７０の内部７４において、Ｚ方向に沿って下向きにさらに流れていき、複数個の空気の通し孔７５，７６を通って、透視部７０の外側に漏れ出る。これにより、煙Ｓの一部は、空気の通し孔７５，７６を通じて外側に導くことができ、使用者は、煙Ｓの広がりの様子と煙Ｓの香りを楽しむことができる。
【０１１９】
このようにＺ方向に下向きに流れ落ちる煙Ｓの現象は、通常の煙が上昇するのとは反対の現象であるので、神秘な雰囲気を醸し出すことができ、例えば宗教的な霊感を感じさせることができる。
【０１２０】
煙Ｓは、透視部７０の内部７４において漂いながらＺ方向に下向きに流れ落ちるので、この煙Ｓの漂いながら下向きに流れ落ちる現象は、透視部７０を通して見ることができ、神秘な雰囲気を醸し出すことができ、例えば宗教的な霊感を感じさせることができる。
【０１２１】
しかも、図１３に示すように、使用者が電源スイッチ１０２を押すことで、光源９５は、任意の発光色で、連続点灯もしくは点滅させることができる。光源９５が発生する光Ｌは、中空部分８７と中空部分８６を通過して、透視部７０の内部７４をＺ方向に下がってくる煙Ｓに対して照射することができる。
【０１２２】
これにより、透視部７０の内部７４において、煙Ｓの漂いながら下向きに流れ落ちる現象に対して、任意の光Ｌを照射することで、さらに煙Ｓは、光Ｌによりさらに神秘な雰囲気を醸し出すことができ、例えば宗教的な霊感を感じさせることができる。
【０１２３】
このように、図１３に示す本発明の第４実施形態の装飾具５０は、線香の煙を下向きに流し、かつそれを透視することによって、室内の装飾をするインテリア品として、煙と香りをも含めた神秘な雰囲気を醸し出すことができ、例えば新たな宗教的霊感を醸し出すことができる。
【０１２４】
（第５実施形態）
次に、図１４を参照して、本発明の第５実施形態の装飾具を説明する。
【０１２５】
図１４に示す本発明の第５実施形態の装飾具５０Ａは、図１３に示す本発明の第４実施形態の装飾具５０と、ほぼ同様な構造を有しているが、次の点が異なる。従って、図１４に示す本発明の第５実施形態の装飾具５０Ａの箇所が、図１３に示す本発明の第４実施形態の装飾具５０の対応する箇所と、実質的に同じである場合には、同じ符号を記してその説明を用いる。
【０１２６】
図１４に示す本発明の第５実施形態の装飾具５０Ａは、収容箱９０の底部９１の内面には、１つまたは複数の光源９５に加えて、音源９９が配置されている。この音源９９は、好ましくは小型のスピーカー等を使用し、制御部１００に接続されている。使用者が電源スイッチ１０２を押すことで、制御部１００は、バッテリ１０１からの電源供給を受けて、音源９９を駆動させることができる。
【０１２７】
音源９９が駆動して音が発生することに伴って、中空部分８７と中空部分８６を通過して、透視部７０の内部７４に空気振動９８を送る。この空気振動９８は、透視部７０の内部７４において、煙Ｓの漂いながら下向きに流れ落ちる際にこの煙Ｓに圧力を加えることで、煙Ｓを様々な形状に変えることができる。音源９９が発生する音圧や音の発生間隔によるが、連続して流れてくる煙Ｓが、図１４に例示するように断続的に分かれたり、１つ１つの煙Ｓの形が楕円形やハート形になったりする。
【０１２８】
しかも、このように形状変化しながらＺ方向に下がってくる煙Ｓに対して、光源９５が発生する光Ｌが、中空部分８７と中空部分８６を通過して、透視部７０の内部７４をＺ方向に下がってくる煙Ｓに対して照射することができる。
【０１２９】
これにより、透視部７０の内部７４において、煙Ｓの漂いながら下向きに流れ落ちる現象に対して、任意の光Ｌを照射することで、煙Ｓは、光Ｌによりさらに神秘な雰囲気を醸し出すことができ、例えば宗教的な霊感を感じさせることができる。煙Ｓが音による空気振動を受けて変形することがあり、さらにその形状変化を、光Ｌを当てて良く観察できるようになるので、幻想的な雰囲気を醸し出すことができる。
【０１３０】
ところで、図１４では、光源９５と音源９９の両方が配置されているが、音源９９のみを配置することも可能である。
【０１３１】
このように、図１４に示す本発明の第４実施形態の装飾具５０Ａは、線香の煙を下向きに流し、かつそれを透視することによって、室内の装飾をするインテリア品として、煙と香りをも含めた神秘な雰囲気を醸し出すことができ、例えば新たな宗教的霊感を醸し出すことができる。
【０１３２】
図１１から図１４に示す線香５２の上端部５２Ｐは塞がっているが、この上端部５２Ｐでは、例えば図１５（Ａ）に示すように、砲弾型に形成することで、貫通孔５３の上部が閉じている。また、上端部５２Ｐでは、例えば図１５（Ｂ）に示すように、線香５２を成形時に潰すことで、貫通孔５３の上部が閉じている。
【０１３３】
また、上述した線香は、加熱で、発煙する発煙体の例である。いずれの線香である発煙体は、下側が開口され、上側が閉塞されたほぼ中空状である。このように、発煙体は、下側が開口され、上側が閉塞されたほぼ中空状であるので、発煙体の内部で出た煙は、孔の中に貯まり、同じ空間に留まることにより煙の比重が増える。さらに、発煙体の上側を塞ぐことにより、さらに煙は圧縮され、発煙体の上部に抜けなくなるために煙も増える。これにより、発煙体の上側に火をつけることで発生する煙は、発煙体の内部で貯まって下側の開口から出すことができる。
【０１３４】
発煙体の例である線香の形状としては、例えば図６や図１２に示すように線状であったり、例えば図１に示す線香１のように、上端がすぼまる形状である。しかし、発煙体の形状は、これら図示した形状に限定されない。
【０１３５】
また、発煙体の具体的な寸例を挙げると、発煙体の長さは、好ましくは２ｃｍから３０ｃｍである。発煙体の直径は、好ましくは２ｍｍ弱から５ｍｍである。
【０１３６】
発煙体内の煙を貯めて出すための孔の内径は、１ｍｍから３ｍｍである。発煙体の燃える時間を短縮するために、長さの短い物であっても良い。発煙体は、発煙または発香するものであれば良い。
【０１３７】
上述してきたように、発煙体の一例としての線香は粉体のかたまりであり、
そのため粉体間の隙間から外部の空気（酸素）が取り入れられ、
線香は消えることなく、継続して燃える。
【０１３８】
以上、実施形態を挙げて本発明を説明したが、各実施形態は一例であり、特許請求の範囲に記載される発明の範囲は、発明の要旨を逸脱しない範囲内で種々変更できるものである。本発明の各実施形態は、任意に組み合わせることができる。
【０１３９】
本発明は、上記実施形態に限定されず、室内に配置する装飾品として用いる際には、煙を発生可能な煙発生部材としては、種々の香料の粉末が松やになどで固めた線香を用いるだけでなく、この線香に代えて、アロマオイルを含ませた部材や香木等を採用することもできる。アロマオイルは、植物の花、葉、種子、果実、果皮、樹皮等の様々な部位から抽出される１００％天然の揮発性オイルである。
【０１４０】
煙発生部材としては、図示した棒状等の線香等に限定されず、棒状等の線香に代えて、別の形状の部材を用いることができる。煙発生部材は、例えば直方体等の粒状や球状の部材、あるいは線状の部材である。これにより、装飾具を室内において、室内を装飾するインテリア品として配置することで、煙と香りをも含めた神秘な雰囲気を醸し出すことができる。
【０１４１】
上述した線香煙沈留仏具、線香、香炉および装飾具の形状は、図示例に限定されず、室内のインテリアを飾る道具としてあるいは仏具として、任意に選択することができる。
【符号の説明】
【０１４２】
１  線香
２  本体
３  孔
１０  香炉
１１  線香台（煙吐出し部の例）
１２  中間部
１３  案内板（煙案内部の例）
１４  滞留部
１５  案内孔
Ａ  線香煙透視仏具
１Ａ  線香
２Ａ  本体
３Ａ  貫通孔
１０Ａ  香炉
１１Ａ  線香台（煙吐出し部の例）
１４Ａ  案内孔
２０  透視部（煙案内部の例）
５０  装飾具
５０Ａ  装飾具
５１  香炉
５２  線香（煙発生部材の例）
６０  線香台（煙吐出し部の例）
７０  透視部（煙案内部の例）
７５，７６  空気の通し孔
９０  収容箱
９５  光源
９９  音源
【要約】
【課題】  線香の煙を下向きに流すことによって新たな宗教的霊感を醸し出すことができる線香煙沈留仏具を提供する。
【解決手段】  線香１と香炉１０とからなる線香煙沈留仏具である。線香１は、筒型であって、内部に上部が塞がり下部が開口した孔３が形成されている。香炉１０は、上部に形成された線香１を載せる線香台１１と、中間部１２に形成された煙を上から下に向けて誘導する案内板１３と、基部に形成された煙を滞留させる滞留部１４と、線香台１１と中間部１２に形成された線香１の孔３内に発生した煙を案内板１３まで誘導する案内孔１５とからなる。線香台１１に載せた線香１に点火して内部の孔３の周辺まで燃えはじめると、孔３内に煙が充満し、その圧力が上昇すると、案内孔１５から煙が下向きに吹き出て、案内板１３に沿って下向きに流れつつ、最後には滞留部１４に留められる。
【選択図】図１【図１】
0005857146.tif 000002
【図２】
0005857146.tif 000003
【図３】
0005857146.tif 000004
【図４】
0005857146.tif 000005
【図５】
0005857146.tif 000006
【図６】
0005857146.tif 000007
【図７】
0005857146.tif 000008
【図８】
0005857146.tif 000009
【図９】
0005857146.tif 000010
【図１０】
0005857146.tif 000011
【図１１】
0005857146.tif 000012
【図１２】
0005857146.tif 000013
【図１３】
0005857146.tif 000014
【図１４】
0005857146.tif 000015
【図１５】
0005857146.tif 000016